(57)【要約】      （修正有）【課題】貯蔵・運搬の便に優れた新規の板状部材によって、雨水貯留浸透槽などの元となり、内部が見通せる配置物を有する、雨水の浸透および／または貯留施設ならびに軽量盛土の提案。【解決手段】第1の板状部材1は、板状部2の両端に互いに水平に反対方向を向く継ぎ手部3を有し、第1の板状部材の複数個を継ぎ手部の端部３を互いに対向させあるいは重ね合わせて契合させて板状部２で筒状部を形成し、当該筒状部を１次元ないし３次元的に契合しながら第1の板状部材で構成される筒状部からなる配置物を形成し、当該配置物の上部および側面の開口部を第二の板状部材で覆うことで空間を形成し、当該空間を地下に構成しシート類7で覆った雨水の浸透および／または貯留施設ならびに軽量盛土。【選択図】図４
2006241928.tif 000002
【特許請求の範囲】
【請求項１】
第1の板状部材は、板状部の両端に互いに水平に反対方向を向く継ぎ手部を有し、第1の板状部材の複数個を継ぎ手部の端部を互いに対向させあるいは重ね合わせて契合させて板状部で筒状部を形成し、当該筒状部を１次元ないし３次元的に契合しながら第1の板状部材で構成される筒状部からなる配置物を形成し、当該配置物の上部および側面の開口部を第二の板状部材で覆うことで空間を形成し、当該空間を地下に構成しシート類で覆ったことを特徴とする雨水の浸透および／または貯留施設ならびに軽量盛土。
【発明の詳細な説明】
【技術分野】
【０００１】
本発明は、ユニット部材を配置した雨水の浸透および／または貯留施設ならびに軽量盛土などの技術に属する。
【背景技術】
【０００２】
雨水の流出抑制を目的として、プラスチックなどで製造された容器状あるいはパイプ状部材などのユニット部材を地下に配置し、貯留空間を確保して雨水を一時的に貯留する貯留浸透施設が普及している。この目的のために各種の形状の部材が例えば特開昭62-101097、特開昭62-126179、特開平9-296486、特開平11-43971、特開平10-115778などに提案かつ使用されている。それらの一例を図８に示す。いずれの方法も部材を配置しその周囲を透水性もしくは遮水性のシート類で包み、その内部空間に雨水を貯蔵する貯留浸透施設とするものである。
雨水の流出抑制を目的とするためには、地下水位が低い場合は透水性のシートで包み、貯留された雨水を徐々に地下に浸透させ、地下水位が高い場合は地下水が内部に入らないように遮水性のシートで包み雨水を貯留した後、徐々に下水あるいは河川に放流することが行われている。これら部材は、また軽量盛土材その他としての用途が提案されている。
【０００３】
本発明は、従来の部材と異なる形状の板状部材からなるユニット部材の提案と、このユニット部材を用いた配置物を利用した雨水貯留／浸透槽、軽量盛土などの提案にある。
【０００４】
【特許文献１】特開昭62-101097
【特許文献２】特開昭62-126179
【特許文献３】特開平9-296486
【特許文献４】特開平11-43971
【特許文献５】特開平10-115778
【発明の開示】
【発明が解決しようとする課題】
【０００５】
本願発明は、雨水貯留浸透槽などの元となる配置物を構成し、配置物の内部が見通せ、貯蔵・運搬の便に優れた新規の板状部材の提案にある。
【課題を解決するための手段】
【０００６】
本発明は、（１）板状部の両端に互いに水平に反対方向を向く継ぎ手部を有する第1の板状部材を使用する。（２）複数個の第１の板状部材を継ぎ手部の端部を互いに対向させあるいは重ね合わせて契合させて板状部で筒状部を形成する。（３）当該筒状部を１次元ないし３次元的に契合しながら筒状部からなる配置物を形成する。（４）前記配置物の上部および側面の開口部を第二の板状部材で覆うことで空間を形成する。（５）前記空間を地下に構成しシート類で覆うことで雨水の浸透および／または貯留施設ならびに軽量盛土として使用する。
【発明の効果】
【０００７】
部材の形状を板状部とその両端に設けた接続部とし、板状部を筒状に配置したため、筒状部を並べた配置物は筒状部間に隙間が生じ、その隙間を介し内部を直線的に見通すことができる。元が板状部材であるから積み重ね可能で運搬、貯蔵の便がよい。
【発明を実施するための最良の形態】
【０００８】
以下、本発明を、図を用いて、より詳細に説明する。
図１は、本発明を構成する板状部材の例を示す図である。図1ａに示す板状部材は、長細い板状部の両端部に平行に相対する方向に継ぎ手部が設けられている。図１bに示す板状部材は横手方向に湾曲した板状部材の両端に板状部材と同一方向に湾曲した継ぎ手部が設けられたものである。
図に示した板状部材は板状部が斜めとなっているが、垂直状態であってもなんら差し支えがない。板状部材の材質、要求される強度などを考慮してその傾き、厚み、幅などを変えることができる。
【０００９】
以下図１ａに示す板状部材を用いて説明する。
図２は、板状部材を円筒状、この場合戴円錐状に組み合わせ接続部で例えばボルト、ナットを用いて契合するものである。板状部材の厚みが無視し得ない場合には、スペーサーなどを用いて段差ができないように接続していく必要がある。
図３は、板状部材を図に示したメス継ぎ手を用いて接続部を互いに対向させるようにして接続するものである。契合は上記と同じボルトナットを使用しても、板状部材の接続部に凸部を設け、メス継ぎ手内部に設けた凹部に契合させることで接続を確実にしてもよい。従来のオスメス継ぎ手の契合方法が使用できる。図では、４方向に板状部材を契合しているが、その数は３方向であっても６方向であってもなんら差し支えがなく適宜変えることができる。
【００１０】
図４は、板状部材を戴円錐状に配置し、対向する継ぎ手部を継ぎ手で契合して得た配置物の断面を示した図である。
また図５は上記配置物の平面を概念的に示したものである。斜線でハッチングを施した部分が継ぎ手部および継ぎ手を示している。すなわち、板状部材を対向する継ぎ手部で契合して得られた戴円錐状筒状部を直線状あるいは平面状あるいは立体的に組み合わせて必要とする配置物とする。
【００１１】
図６は、上記配置物の上部および側面に第２の板状部材を配置、契合することで、空間を確保した状態を示している。底面については必要に応じて設けることができる。第２の板状部材は、水がその板状部材を通過できるようその表面に透孔を適宜設けておくことが好ましい。
【００１２】
上記配置物を地下に設け、泥だめます、雨水の導入管、排出管などの付帯設備を設けることで雨水の地下浸透あるいは貯留施設となる。雨水の流出抑制あるいは有効利用等、その使用する目的に応じて使用するシートの種類を透水性あるいは遮水性と変更するのは従来技術となんら変わらない。その一例を図７に示す。
【００１３】
浸透管として使用する場合には、第１の板状部材を戴円錐形に契合した筒状部を直線状に配置し、その周囲を及び上面を第２の板状部材で囲い、浸透性のシートで覆えばよい。また、軽量盛土として使用する場合には、一般的には軟弱な地盤上に前記筒状部を立体的に配置し、その周囲および上面を第２の板状部材で囲い、土砂の浸入を防ぎかつ水が自由に空間内を移動できるように透水性のシートで覆い土盛りすることで実施できる。
【００１４】
板状部材は、その材質は特に限定されないが、水に対する耐性と、必要な強度が得られるものが好ましく、コンクリート製、ステンレススチール製あるいは熱可塑性のプラスチックあるいはガラス繊維などで強化されたプラスチック製が使用できる。
【図面の簡単な説明】
【００１５】
【図１】は、 本発明に使用する板状部材の例を示している。
【図２】は、本発明に使用する板状部材の接続方法の一例を示す概念図である。
【図３】は、本発明に使用する板状部材の継ぎ手を用いる接続方法の一例を示す概念図である。
【図４】は、 本発明に使用する板状部材を用いた配置物の断面図である。
【図５】は、本発明に使用する板状部材を用いた配置物の平面図である。
【図６】は、配置物の上面および側面を第２の板状部材で囲った状体を示す概念図である。
【図７】は、配置物を雨水浸透槽として使用する例の概念図である。
【図８】は、従来の部材の例を示す概念図である。
【００１６】
１  板状部材
２  板状部
３  継ぎ手部
４  継ぎ手
５  雨水貯留浸透施設
６  雨水浸透・貯留施設
７  シート
【図１】
2006241928.tif 000003
【図２】
2006241928.tif 000004
【図３】
2006241928.tif 000005
【図４】
2006241928.tif 000006
【図５】
2006241928.tif 000007
【図６】
2006241928.tif 000008
【図７】
2006241928.tif 000009
【図８】
2006241928.tif 000010